【手続補正書】
【提出日】平成17年9月1日(2005.9.1)
【手続補正１】
【補正対象書類名】明細書
【補正対象項目名】発明の名称
【補正方法】変更
【補正の内容】
【発明の名称】映像監視システム及び映像システム
【手続補正２】
【補正対象書類名】明細書
【補正対象項目名】特許請求の範囲
【補正方法】変更
【補正の内容】
【特許請求の範囲】
【請求項１】  複数のカメラで撮影された映像情報を、ディジタルネットワークを通じて伝送し、選択的にモニタに表示する映像監視システムにおいて、
前記複数のカメラにて撮影して得られたアナログ映像信号を、それぞれディジタル映像信号に変換するディジタル変換手段を複数と、
前記ディジタル映像信号を前記アナログ映像信号に再変換するアナログ変換手段を少なくとも２つと、
このアナログ変換手段にて再変換して得られた複数の前記アナログ映像信号が入力され、これらの信号を選択的に前記モニタに出力する信号選択手段と、
前記ディジタル変換手段にて変換された複数のディジタル映像信号を、前記ディジタルネットワークを通じて、選択的に前記アナログ変換手段に入力して、それぞれ前記アナログ映像信号に再変換させておき、前記信号選択手段を制御して、前記再変換されたアナログ映像信号を選択的に前記モニタに出力する制御手段とを具備することを特徴とする映像監視システム。
【請求項２】  複数のカメラで撮影された映像情報を、ディジタルネットワークを通じて伝送し、選択的に複数のモニタに表示する映像監視システムにおいて、
前記複数のカメラにて撮影して得られたアナログ映像信号を、それぞれディジタル映像信号に変換するディジタル変換手段を複数と、
前記ディジタル映像信号を前記アナログ映像信号に再変換するアナログ変換手段を少なくとも前記モニタの数＋１個と、
このアナログ変換手段にて再変換して得られた複数の前記アナログ映像信号が入力され、これらの信号を選択的に前記モニタに出力する信号選択手段と、
前記ディジタル変換手段にて変換された複数のディジタル映像信号を、前記ディジタルネットワークを通じて、選択的に前記アナログ変換手段に入力して、それぞれ前記アナログ映像信号に再変換させておき、前記信号選択手段を制御して、前記再変換されたアナログ映像信号を選択的に前記モニタに出力する制御手段とを具備することを特徴とする映像監視システム。
【請求項３】  複数のカメラで撮影された映像情報を、ディジタルネットワークを通じて伝送し、選択的に複数のモニタに表示する映像監視システムにおいて、
前記複数のカメラにて撮影して得られたアナログ映像信号を、それぞれディジタル映像信号に変換するディジタル変換手段を複数と、
前記ディジタル映像信号を前記アナログ映像信号に再変換するアナログ変換手段を複数と、
このアナログ変換手段にて再変換して得られた複数の前記アナログ映像信号が、少なくとも２つずつ入力され、この入力された信号を選択的に前記モニタに出力する信号選択手段を複数と、
前記ディジタル変換手段にて変換された複数のディジタル映像信号を、前記ディジタルネットワークを通じて、選択的に前記アナログ変換手段に入力して、それぞれ前記アナログ映像信号に再変換させておき、前記信号選択手段を制御して、前記再変換されたアナログ映像信号を選択的に前記モニタに出力する制御手段とを具備することを特徴とする映像監視システム。
【請求項４】 複数のカメラで撮影された映像情報を、ディジタルネットワークを通じて伝送し、選択的にモニタに表示する映像監視システムにおいて、
前記複数のカメラにて撮影して得られたアナログ映像信号を、それぞれディジタル映像信号に変換するディジタル変換手段を複数と、
前記ディジタル映像信号を前記アナログ映像信号に再変換するアナログ変換手段を少なくとも２つと、
このアナログ変換手段にて再変換して得られた複数の前記アナログ映像信号が入力され、これらの信号を選択的に前記モニタに出力する信号選択手段とを具備することを特徴とする映像監視システム。
【請求項５】 複数のアナログ映像信号を、ディジタルネットワークを通じて伝送し、選択的にモニタに表示する映像システムにおいて、
前記複数のアナログ映像信号を、それぞれディジタル映像信号に変換するディジタル変換手段を複数と、
前記ディジタル映像信号を前記アナログ映像信号に再変換するアナログ変換手段を少なくとも２つと、
このアナログ変換手段にて再変換して得られた複数の前記アナログ映像信号が入力され、これらの信号を選択的に前記モニタに出力する信号選択手段とを具備することを特徴とする映像システム。
【請求項６】 複数のディジタル映像信号を、ディジタルネットワークを通じて伝送し、選択的にモニタに表示する映像システムにおいて、
前記ディジタル映像信号をアナログ映像信号に変換するアナログ変換手段を少なくとも２つと、
このアナログ変換手段にて変換して得られた複数の前記アナログ映像信号が入力され、これらの信号を選択的に前記モニタに出力する信号選択手段とを具備することを特徴とする映像システム。
【手続補正３】
【補正対象書類名】明細書
【補正対象項目名】００１０
【補正方法】変更
【補正の内容】
【００１０】
さらに、この発明は、複数のカメラで撮影された映像情報を、ディジタルネットワークを通じて伝送し、選択的に複数のモニタに表示する映像監視システムにおいて、複数のカメラにて撮影して得られたアナログ映像信号を、それぞれディジタル映像信号に変換するディジタル変換手段を複数と、ディジタル映像信号をアナログ映像信号に再変換するアナログ変換手段を複数と、このアナログ変換手段にて再変換して得られた複数の前記アナログ映像信号が、少なくとも２つずつ入力され、この入力された信号を選択的にモニタに出力する信号選択手段を複数と、ディジタル変換手段にて変換された複数のディジタル映像信号を、ディジタルネットワークを通じて、選択的に前記アナログ変換手段に入力して、それぞれアナログ映像信号に再変換させておき、信号選択手段を制御して、再変換されたアナログ映像信号を選択的にモニタに出力する制御手段を具備して構成するようにした。
またさらに、この発明は、複数のアナログ映像信号を、ディジタルネットワークを通じて伝送し、選択的にモニタに表示する映像システムにおいて、前記複数のアナログ映像信号を、それぞれディジタル映像信号に変換するディジタル変換手段を複数と、前記ディジタル映像信号を前記アナログ映像信号に再変換するアナログ変換手段を少なくとも２つと、このアナログ変換手段にて再変換して得られた複数の前記アナログ映像信号が入力され、これらの信号を選択的に前記モニタに出力する信号選択手段とを具備して構成するようにした。
【手続補正４】
【補正対象書類名】明細書
【補正対象項目名】００１１
【補正方法】変更
【補正の内容】
【００１１】
上記構成の映像監視システム及び映像システムでは、アナログ変換手段の数に相当するディジタル映像信号を、それぞれアナログ映像信号に再変換しておき、信号選択手段を制御して、再変換されたアナログ映像信号を選択的にモニタに出力するようにしている。
【手続補正５】
【補正対象書類名】明細書
【補正対象項目名】００１２
【補正方法】変更
【補正の内容】
【００１２】
したがって、上記構成の映像監視システム及び映像システムによれば、カメラやディジタル変換手段に相当する数のアナログ変換手段を備えなくても、映像がとぎれることなく映像を切り換えることができ、従来に比べてハードウエア規模を縮小できる。
【手続補正６】
【補正対象書類名】明細書
【補正対象項目名】００４０
【補正方法】変更
【補正の内容】
【００４０】
したがって、この発明によれば、カメラやディジタル変換手段に相当する数のアナログ変換手段を備えなくても、映像がとぎれることなく映像を切り換えることができ、従来に比べてハードウエア規模を縮小することが可能な映像監視システム及び映像システムを提供できる。